(57)【要約】      （修正有）【課題】一定量の洗剤を供給するとともに、洗剤ボトル容器が簡単に外れない洗浄液供給装置を提供する。【解決手段】フレーム体１と、押し出し装置２と、からなる。押し出し装置２は、フレーム体１に結合され、押し出し装置２には、互いに通じる長手方向に設置された第１通路及び水平方向に設置された第２通路が設けられるとともに、第１通路内には流量制御ユニットが設けられる。第２通路の位置には、弾性回復して移動する押圧部品２４が設けられるとともに、押し出し装置２には、さらに第１通路と互い連接された連結管体２３が設けられる。これにより、連結管体２３によって洗剤ボトル容器が挿設され、洗剤ボトル容器内の洗剤が第１通路内に入れられる。押圧部品２４を押すと、流量制御ユニットによって設定された第１球体を制御して下へと動かすことができ、洗剤を第１通路から出すことができる。【選択図】図１
0003212869.tif 000002
【実用新案登録請求の範囲】
【請求項１】
フレーム体と、押し出し装置と、からなる洗浄液供給装置であって、
前記フレーム体の一側面は、物体表面に結合するのに用いられ、他側面には、取り付け面が設けられるとともに、前記取り付け面には、２つが互いに対応する第１結合部が設けられ、
前記押し出し装置は、前記フレーム体の取り付け面に結合され、前記押し出し装置は、台座と、流量制御ユニットと、連結管体と、Ｕ字型留め具を備え、
前記台座には、その両側に第４結合部がそれぞれ設けられ、前記第４結合部と前記第１結合部は互いに結合されるとともに、前記２つの第４結合部の間には、２つの互いに対応するスライド溝が設けられ、前記台座には、長手方向の第１通路及び水平方向であるとともに第１通路と連結する第２通路が設けられ、前記第１通路における前記台座の頂部に位置する部分には、第１開口端が設けられ、前記台座の底部に位置する部分には、第２開口端が設けられ、前記第２通路に前記台座に面する外部には、第３開口端が設けられるとともに、前記第２通路は、前記２つのスライド溝の間に相対して位置し、前記第１通路内の前記第１開口端と前記第２開口端の間に相対する位置には、収縮部が設けられ、前記収縮部の口径は、前記第１通路の口径より小さく、
前記流量制御ユニットは、前記第１通路内に設けられ、第１ばねと、第１球体と、第１カバー体と、中空管体と、第２ばねと、第２球体と、第２カバー体とを備え、前記第１ばねと、前記第１球体と、前記第１カバー体と、前記中空管体と、前記第２カバー体は、それぞれ下から上へと順番に配列して設けられ、前記第２ばね及び前記第２球体は、前記中空管体の中に設けられ、前記第１ばね及び前記第１球体は、前記第１通路の収縮部の中に相対して位置し、前記第１カバー体には、穴が設けられるとともに、前記第１球体によって前記第１カバー体の穴がふさがれ、前記第２カバー体には、穴が設けられるとともに、前記第２球体によって前記第２カバー体の穴がふさがれ、
前記連結管体は、前記台座の第１開口端に結合されるとともに、前記第１通路と連結され、
前記台座の第２通路の位置に押圧部品が結合され、前記押圧部品には、基部が設けられ、前記基部には、２つの互いに対応するホックが延在して設けられ、前記２つのホックは、前記台座の２つのスライド溝とそれぞれ互いに嵌められるとともに、前記基部における前記２つのホックの間には、プッシュロッドが延在して設けられ、前記プッシュロッドは、前記第３開口端によって前記第２通路内に設置され、前記押圧部品と前記台座の間には、第３ばねが設けられ、前記第３ばねは、前記第２通路の外部に相対して位置することによって、前記押圧部品は、前記台座の第２通路の位置に相対して結合されるとともに、回復して前後に直線移動し、
前記押圧部品が前記第２通路の方向に押される時、前記プッシュロッドによって第２通路内の気体は、第１通路の方へ押し出され、前記第１球体は、下へ移動するとともに、前記第１カバー体の穴から抜け、さらに、前記押圧部品が前記第１通路と反対方向に回復して移動する時、前記第２通路内は、負圧状態となり、前記第２球体は下へ移動するとともに、前記第２カバー体の穴から抜けることを特徴とする、洗浄液供給装置。
【請求項２】
前記第２通路と前記第１通路が接する部分には、第１穿孔が設けられることを特徴とする、請求項１に記載の洗浄液供給装置。
【請求項３】
前記連結管体の底端には、第５結合部が設けられるとともに、前記連結管体の頂端には、キャップが嵌合され、前記第５結合部と前記台座の第１開口端は、互いに結合され、前記キャップの側辺には、第２穿孔が設けられ、前記第２穿孔は、前記連結管体と連結して形成されるとともに、前記連結管体の底端部には、軸棒が設けられ、前記連結管体には、さらに板体が設けられ、前記板体の底面には、クランプ部が設けられ、前記クランプ部は、前記軸棒に留められ、前記板体は、前記軸棒を軸心として左右に傾くことを特徴とする、請求項１に記載の洗浄液供給装置。
【請求項４】
前記プッシュロッドには、さらに少なくともパッキンが嵌合されることを特徴とする、請求項１に記載の洗浄液供給装置。
【請求項５】
前記洗浄液供給装置は、さらに、フレーム体の取り付け面に結合し覆うのに用いられるカバー体を備え、前記カバー体には、２つの互いに対応する第６結合部が設けられ、前記フレーム体には、２つの互いに対応する第２結合部が設けられ、前記第６結合部は、前記フレーム体の第２結合部と互いに結合されるとともに、前記カバー体には、枢接方式によって押圧板が結合され、前記押圧板は、前記押圧部品の前方に相対して位置し、前記押圧板によって前記押圧部品を押動することを特徴とする、請求項１に記載の洗浄液供給装置。
【請求項６】
前記カバー体の内部には止め片が結合され、前記止め片は、前記押圧板の後方に相対して位置することを特徴とする、請求項５に記載の洗浄液供給装置。
【請求項７】
前記洗浄液供給装置は、さらに、Ｕ字型留め具を備え、前記Ｕ字型留め具は、前記フレーム体の取り付け面に結合され、前記Ｕ字型留め具の一端には、回転軸が設けられ、他端には、第７結合部が設けられ、前記フレーム体には、枢接部及び第３結合部が設けられ、前記枢接部と前記第３結合部は、平行して互いに対応し、前記回転軸と前記枢接部は互いに結合されることによって、前記Ｕ字型留め具は、前記回転軸を軸心として動き、前記第７結合部と前記第３結合部は互いに結合されるとともに、前記Ｕ字型留め具には、前記フレーム体の取り付け面に向かってバッフル板が延在して設けられることを特徴とする、請求項１に記載の洗浄液供給装置。
【考案の詳細な説明】
【技術分野】
【０００１】
本考案は洗浄液供給装置に関し、特に、洗剤ボトル容器を取り付けるとともに、一定量の洗剤を供給し、同時に洗剤ボトル容器が簡単に外れないという効果を備える洗浄液供給装置に関する。
【背景技術】
【０００２】
一般に使用されているソープディスペンサーは、台湾特許第５３５５６２号明細書に開示される「洗浄液供給裝置」のように、ハンドソープまたは洗浄液等の供給裝置の構造である。
【先行技術文献】
【特許文献】
【０００３】
【特許文献１】台湾特許第５３５５６２号明細書
【０００４】
しかしながら、上述の従来技術が開示する裝置の構造は、特定の貯液装置（タンク）に合わせて取り付けることによってはじめて使用できるため、使用者は、まず自分の洗浄液を特定の貯液装置内に入れた後、さらに特定の貯液装置を洗浄液供給裝置に取り付ける必要があり、使用上大変不便である。さらに、使用者が異なる洗浄液を入れ替えたい場合には、貯液装置内に入れられた洗浄液をまず除去してからでなければ、貯液装置内に異なる洗浄液を入れ替えることができないため、この点においても使用上非常に不便である。
【考案の概要】
【考案が解決しようとする課題】
【０００５】
本考案は、洗剤ボトル容器を取り付けるとともに、一定量の洗剤を供給し、同時に洗剤ボトル容器が簡単に外れないという効果を備える洗浄液供給装置を提供することを目的とする。
【課題を解決するための手段】
【０００６】
本考案の洗浄液供給装置は、押し出し装置の連結管体によって任意のチューブ型の洗剤ボトル容器を挿設することができ、洗剤ボトル容器内の洗剤を連結管体から第１通路の中に入れることができる。押圧部品を押すと、流量制御ユニットによって設定された第１球体を制御して下へと動かすことができ、洗剤を第１通路から出すことができる。
【考案の効果】
【０００７】
押圧部品が弾性回復する時、流量制御ユニットによって設定された第１球体を制御して上へと動かすことで第１通路をふさぐことができ、洗剤を一定量供給する効果が達成される。これにより、使用者は、任意のチューブ型の洗剤ボトル容器を組み合わせて使用することができ、洗剤をまず特定の貯液ボトルに入れてから使用しなければならない不便さが解消される。
【図面の簡単な説明】
【０００８】
【図１】本考案の洗浄液供給装置の分解図である。
【図２】本考案の洗浄液供給装置を組み合わせた図である。
【図３】本考案における洗浄液供給装置を開けた状態を示した図である。
【図４】本考案の洗浄液供給装置における押し出し装置の分解図である。
【図５】本考案の洗浄液供給装置における押し出し装置を組み合わせた図である。
【図６】本考案の洗浄液供給装置における押し出し装置に実施例を適用した場合の断面図である。
【図７】本考案の洗浄液供給装置におけるフレーム体の分解図である。
【図８】本考案の洗浄液供給装置におけるカバー体の分解図である。
【図９】本考案の洗浄液供給装置に実施例を適用した場合の局部の断面図である。
【図１０】本考案の洗浄液供給装置の押し出し装置における別の実施例の分解図である。
【考案を実施するための形態】
【０００９】
参照する図１から図８に示すように、本考案が開示する洗浄液供給装置は、フレーム体１と、押し出し装置２と、カバー体３と、Ｕ字型留め具４と、からなる。
【００１０】
フレーム体１の一側面は、物体表面（例えば、壁面）に結合されるのに用いられ、フレーム体１の他側面には、取り付け面が設けられる。フレーム体１の取り付け面には、２つが互いに対応する第１結合部１１及び２つが互いに対応する第２結合部１２がそれぞれ設けられるとともに、第１結合部１１と第２結合部１２の間には、枢接部１３及び第３結合部１４が設けられる。前記２つの第１結合部１１は、フレーム体１の下方部に相対して位置する。前記２つの第２結合部１２は、フレーム体１の上方部に相対して位置する。前記枢接部１３と第３結合部１４は、平行して互いに対応することができる。
【００１１】
押し出し装置２は、フレーム体１の取り付け面に結合される。押し出し装置２は、台座２１と、流量制御ユニット２２と、連結管体２３と、Ｕ字型留め具２４を備える。
【００１２】
前記台座２１には、その両側に第４結合部２１１がそれぞれ設けられ、第４結合部２１１とフレーム体１の第１結合部１１が互いに結合されることによって、台座２１をフレーム体１に結合させ、さらに台座２１における２つの第４結合部２１１の間には、２つ互いに対応するスライド溝２１２が設けられるとともに、台座２１には、長手方向の第１通路２１３及び水平方向であるとともに第１通路２１３と連結する第２通路２１４が設けられる。第１通路２１３における台座２１の頂部に位置する部分には、第１開口端２１５が設けられ、第１通路２１３における台座２１の底部に位置する部分には、第２開口端２１６が設けられる。第２通路２１４における台座２１に面する外部には、第３開口端２１７が設けられ、前記第２通路２１４は、台座２１の外部に延在するとともに、２つのスライド溝２１２の間に相対して位置する。さらに、第１通路２１３内の、第１開口端２１４と第２開口端２１６の間に相対する位置には、収縮部２１３１が設けられ、収縮部２１３１の口径は、第１通路２１３の口径より小さい。前記第２通路２１４と第１通路２１３が互いに接する位置には、第１穿孔２１４１が設けられることによって、第１通路２１３は、第２通路２１４と連結することができる。台座２１の２つの開口端２１６には、ノズル５を嵌合することができる。
【００１３】
前記流量制御ユニット２２は、台座２１の第１通路２１３内に設けられる。前記流量制御ユニット２２は、第１ばね２２１と、第１球体２２２と、第１カバー体２２３と、中空管体２２４と、第２ばね２２５と、第２球体２２６と、第２カバー体２２７を備える。第１ばね２２１と、第１球体２２２と、第１カバー体２２３と、中空管体２２４と、第２カバー体２２７は、それぞれ下から上へと順番に配列して設けられ、第２ばね２２５及び第２球体２２７は、中空管２２４の中に設けられる。そのうち（図６に示すように）、第１ばね２２１及び第１球体２２２は、第１通路２１３の収縮部２１３１の中に相対して位置する。さらに、前記第１カバー体２２３には、穴が設けられるとともに、第１球体２２２によって第１カバー体２２３の穴はふさがれ、第２カバー体２２７にも、穴が設けられるとともに、第２球体２２６によって第２カバー体２２７の穴がふさがれる。さらに、前記中空管体２２４の第２カバー体２２７に隣り合う位置には、切開溝２２４１が設けられる。
【００１４】
前記連結管体２３は、台座２１の第１開口端２１５に結合されるとともに、第１通路２１３と連結される。連結管体２３の底端には、第５結合部２３１が設けられるとともに、連結管体２３の頂端には、キャップ２３２が嵌合される。連結管体２３は、第５結合部２３１によって台座２１の第１開口端２１５と互いに結合され、キャップ２３２の側辺には、第２穿孔２３２１が設けられ、第２穿孔２３２１は、連結管体２３と連結して形成される。さらに、連結管体２３の底端部には、軸棒２３３が設けられるとともに、連結管体２３には、さらに板体２３４が設けられる。板体２３４の底面には、クランプ部２３５が設けられ、板体２３４のクランプ部２３５は、軸棒２３３上に留められることによって、板体２３４は軸棒２３３を軸心として左右に傾けることができる。
【００１５】
押圧部品２４は、台座２１の第２通路２１４の位置に結合される。押圧部品２４には、基部２４１が設けられ、基部２４１には、２つの互いに対応するホック２４２が延在して設けられ、２つのホック２４２によって台座２１の２つのスライド溝２１２とそれぞれ互いに嵌められることによって、押圧部品２４のホック２４２は、台座２１のスライド溝２１２内を前後に直線移動することができる。基部２４１における２つのホック２４２の間には、プッシュロッド２４３が延在して設けられ、プッシュロッド２４３は、第３開口端２１７によって第２通路２１４内に設置され、プッシュロッド２４３上には、さらに少なくともパッキン２４４を嵌合することができる。さらに、押圧部品２４と台座２１の間には、第３ばね２４５が設けられ、第３ばね２４５は、第２通路２１４の外部に相対して位置することによって、押圧部品２４は、第３ばね２４５に押されて、台座２１の第２通路２１４に相対して結合されるとともに、回復して前後に直線移動する。
【００１６】
カバー体３は、フレーム体１の取り付け面に結合し覆うのに用いられる。カバー体３には、２つの互いに対応する第６結合部３１が設けられ、第６結合部３１によってフレーム体１の第２結合部１２と互いに結合される。カバー体３には、枢接方式によって押圧板３２が結合されるとともに、カバー体３の内部には、止め片３３が結合される。止め片３３は、押圧板３２の後方に相対して位置する。前記カバー体３は、第６結合部３１によってフレーム体１の第２結合部１２と互いに結合するとともに、押圧板３２は、押圧部品２４の前方に相対して位置することで、押圧板３２によって押圧部品２４を押動することができる。
【００１７】
Ｕ字型留め具４は、フレーム体１の取り付け面に結合される。Ｕ字型留め具４の一端には、回転軸４１が設けられ、Ｕ字型留め具４の他端には、第７結合部が設けられる。前記回転軸４１とフレーム体１の枢接部１３は互いに結合されることによって、Ｕ字型留め具４は、回転軸４１を軸心として動かすことができ、前記第７結合部とフレーム体１の第３結合部１４は、互いに結合される。さらに、Ｕ字型留め具４には、フレーム体１の取り付け面に向かってバッフル板４３が延在して設けられる。
【００１８】
本考案は、以下の実施例を例として示す。押し出し装置２の連結管体２３は、任意の１つのチューブ型の洗剤ボトル容器６に挿設することができ、洗剤ボトル容器６によって設定された押し出し口６１は、連結管体２３を嵌入し、洗剤ボトル容器６における、押し出し口６１の外部の周囲には、環体６２が設けられる。洗剤ボトル容器６の押し出し口６１が連結管体２３を嵌入する時、洗剤ボトル容器６の押し出し口６１は、板体２３４上方（図６に示すように）に位置することができ、板体２３４によって押下することで傾けることができる。板体２３４によって洗剤ボトル容器６を押動することで連結管体２３が抜かれる。さらに、洗剤ボトル容器６の押し出し口６１が連結管体２３を嵌入する時、Ｕ字型留め具４は、押し出し口６１の外部に位置することができ、この時、Ｕ字型留め具４のバッフル板４３は、洗剤ボトル容器６の環体６２の上方（図９に示すように）に位置することができ、Ｕ字型留め具４によって洗剤ボトル容器６が直接抜き取られるのを防ぐことができる。
【００１９】
本考案は、以下に別の実施例を例として示す。前記洗剤ボトル容器６の押し出し口６１内には、まずキャップ２３２を設けることができ、キャップ２３２が洗剤ボトル容器６の押し出し口６１の部分に位置することによって、洗剤ボトル容器６内の液体が流れ出るのを防ぐことができる。洗剤ボトル容器６の押し出し口６１が連結管体２３を嵌入する時、連結管体２３によってキャップ２３２を洗剤ボトル容器６の中に押し込むことができ、洗剤ボトル容器６内の洗剤は、キャップ２３２の第２穿孔２３２１によって連結管体２３の中に流れ込み、さらに、連結管体２３を通って第１通路２１３に流れ込む。この時、押圧部品２４が押下されると、押圧部品２４のプッシュロッド２４３は、第１通路２１３の方向に押し出されることによって、第２通路２１４内の気体は、第１通路２１３に押し出され、第１球体２２２は、下へ移動するとともに、第１カバー体２２３の穴から抜ける。第２球体２２６は、第２カバー体２２７の穴をふさぎ、洗剤は、第１通路２１３の第２開口端２１６から流れ出る。さらに、押圧部品２４が弾性回復する時、押圧部品２４のプッシュロッド２４３は、第１通路２１３と反対方向に回復して移動することによって、第２通路２１４内は負圧状態になり、第２球体２２６は下へ移動するとともに、第２カバー体２２７の穴から抜ける。第１球体２２２は、第１カバー体２２３の穴をふさぎ、洗剤の一部は、第２球体２２６と第１球体２２２の間に流れ込む。これにより、押圧部品２４によって繰り返し押し出されることによって、一定量の洗剤を供給する効果が達成される。
【００２０】
さらに、押し出し装置２の連結管体２３によって任意のチューブ型の洗剤ボトル容器６を挿設することができ、使用者は、任意のチューブ型の洗剤ボトル容器６を組み合わせて使用することができることによって、洗剤をまず特定の貯液ボトルに入れてから使用しなければならない不便さが解消される。
【符号の説明】
【００２１】
１        フレーム体
１１      第１結合部
１２      第２結合部
１３      枢接部
１４      第３結合部
２        押し出し装置
２１      台座
２１      第４結合部
２１      スライド溝
２１      第１通路
２１３１  収縮部
２１４    第２通路
２１４１  第１穿孔
２１５    第１開口端
２１６    第２開口端
２１７    第３開口端
２２      流量制御ユニット
２２１    第１ばね
２２２    第１球体
２２３    第１カバー体
２２４    中空管体
２２４１  切開溝
２２５    第２ばね
２２６    第２球体
２２７    第２カバー体
２３      連結管体
２３１    第５結合部
２３２    キャップ
２３２１  第２穿孔
２３３    軸棒
２３４    板体
２３５    クランプ部
２４      押圧部品
２４１    基部
２４２    ホック
２４３    プッシュロッド
２４４    パッキン
２４５    第３ばね
３        カバー体
３１      第６結合部
３２      押圧板
３３      止め片
４        Ｕ字型留め具
４１      回転軸
４２      第７結合部
４３      バッフル板
５        ノズル
６        洗剤ボトル容器
６１      押し出し口
６２      環体
【図１】
0003212869.tif 000003
【図２】
0003212869.tif 000004
【図３】
0003212869.tif 000005
【図４】
0003212869.tif 000006
【図５】
0003212869.tif 000007
【図６】
0003212869.tif 000008
【図７】
0003212869.tif 000009
【図８】
0003212869.tif 000010
【図９】
0003212869.tif 000011
【図１０】
0003212869.tif 000012